(57)【要約】【課題】  この発明の課題は、原稿が横並びの文字列で左綴じと、縦並びの文字列で右綴じの判別を行い、読み取った見開き画像の順序を正しく読み取れるようにすることにある。また、原稿が単票なのか本や雑誌のように綴じられたものなのか判断し、本などの見開き２ページを１ページにつなげて出力することが可能なものとすることにある。【解決手段】  原稿の文字列の方向を検出することで、横並びの文字列で左綴じか、縦並びの文字列で右綴じかを判断するように構成する。本スキャナには、読取開始のためにボタンＡ１、ボタンＢ２の二つのボタンを有するように構成しており、ボタンＡ１、ボタンＢ２、ボタンＡ１、ボタンＢ２といったように、交互にボタンを押された場合、ボタンＡ１、ボタンＢ２いずれかの読取画像を１８０度回転する補正をかけることで、両面読取を行えるように構成している。【選択図】            図１
2006197270.tif 000002
【特許請求の範囲】
【請求項１】
本や雑誌などの書籍の画像読み取りを行うのに適した書籍対応型スキャナにおいて、
原稿の縦並びの文字列で右綴じ、横並びの文字列で左綴じを所定の方法で判別し、見開き２ページを１ページとした場合の画像の順序を正しく読み取る、
ことを特徴とする書籍対応型スキャナ。
【請求項２】
本や雑誌などの書籍の画像読み取りを行うのに適した書籍対応型スキャナにおいて、
原稿として単票か、本や雑誌などの綴じしろのあるものかを所定の方法で判別し、単票１枚ずつか、見開き２ページを１ページとしたもののいずれで出力すべきか判断する、
ことを特徴とする書籍対応型スキャナ。
【請求項３】
本や雑誌などの書籍の画像読み取りを行うのに適した書籍対応型スキャナにおいて、
光学ユニットが１往復する間に、書籍の左右である２ページを読み取る、
ことを特徴とする請求項１または２記載の書籍対応型スキャナ。
【発明の詳細な説明】
【技術分野】
【０００１】
この発明は、書籍対応型スキャナに関し、原稿の縦並びの文字列、横並びの文字列を自動で判別し、見開き画像の順序を正しく読み取ったり、原稿として単票か本や雑誌などの綴じしろのあるものかを自動的に判別し、単票１枚ずつか見開き２ページのいずれで出力すべきか判断したり、また、読取時に一方向に光学系の読取機構を移動させた場合、左右の端に読取機構を停止させ、次のページの読取時に反対方向に光学系の読取機構を移動させながら画像を読み取ることで、往復で2ページの読取を行うことで、読取時間の短縮を行うことを実現するものである。
【背景技術】
【０００２】
フラットベッド型のスキャナでは、本や雑誌などの綴じしろのある原稿を読み取る場合、本や雑誌を開いて綴じしろ部分が原稿台のガラス面に密着するように上から押し付けるようにして画像読取を行っている。
【０００３】
しかしながら、厚みのある本や雑誌などの場合には、綴じしろをガラス面に密着させることは不可能で、綴じしろ部分の抜けた画像読取となるという問題があった。
【０００４】
このような問題を解決するため、書籍対応型のスキャナが考案されている（特許文献１を参照）。
【０００５】
しかし、従来の書籍対応型のスキャナは、横並びの文字列で左側で綴じている本と、縦並びの文字列で右側で綴じている本の判別を行わないため、読み取った見開き画像が順序正しく読めないという問題があった。
【０００６】
また、従来の書籍対応型のスキャナは、原稿が単票なのか本や雑誌のように綴じられたものなのか判断することができず、見開き２ページを１ページとしてつなげて出力するといったことが不可能という問題があった。
【０００７】
また、光学ユニットのホームポジションを一定の位置にきめ、光学ユニットを片面読み取るごとに往復させると読み取りが遅くなるという問題があった。
【０００８】
【特許文献１】特願２００４−３２９１３１号公報
【発明の開示】
【発明が解決しようとする課題】
【０００９】
前記のごとく、従来の技術では次のような問題点がある。
【００１０】
従来の書籍対応型スキャナでは、原稿が横並びの文字列で左綴じと、縦並びの文字列で右綴じの判別を行っていないため、読み取った見開き画像が順序正しく読み取れないという問題があった。
【００１１】
また、従来の書籍対応型スキャナは、原稿が単票なのか本や雑誌のように綴じられたものなのか判断することができず、本などの見開き２ページを１ページがＡ４なら、１ページとしてＡ３としてつなげて出力するといったことが不可能という問題があった。
【００１２】
また、光学ユニットを片面読み取るごとに往復させ、光学ユニットのホームポジションを左右のどちらか一方の位置に定めると、１ページの読取ごとに光学ユニットが往復しなければならず、読取が遅くなるという問題があった。
【００１３】
この発明の課題は、原稿が横並びの文字列で左綴じと、縦並びの文字列で右綴じの判別を行い、読み取った見開き画像の順序を正しく読み取れるようにすることにある。また、原稿が単票なのか本や雑誌のように綴じられたものなのか判断し、本などの見開き２ページを１ページにつなげて出力することが可能なものとすることにある。さらに、光学ユニットのホームポジションを左右両端にすることで、読取の処理を左右のいずれかの位置から反対側のホームポジションまで移動することで読み取れるようにし、画像読取の処理時間を短縮することにある。
【課題を解決するための手段】
【００１４】
前記の問題点を解決するために、この発明では次に示す手段を取った。
【００１５】
原稿の文字列の方向を検出することで、横並びの文字列で左綴じか、縦並びの文字列で右綴じかを判断するように構成する。
【００１６】
本スキャナには、読取開始のためにボタンＡ１、ボタンＢ２の二つのボタンを有するように構成しており、ボタンＡ１、ボタンＢ２、ボタンＡ１、ボタンＢ２といったように、交互にボタンを押された場合、ボタンＡ１、ボタンＢ２で原稿の読取の方向を逆にしているため、いずれかの読取画像を１８０度回転する補正をかけることで、両面読取を行えるように構成している。
【００１７】
また、ボタンＡ１、ボタンＢ２のボタンを左右どちらから原稿を読み取るか指定するボタンとして構成し、ボタンＡ１、ボタンＢ２、ボタンＡ１、ボタンＢ２といったように、交互に読み取り方向を変えながら画像読取を行う場合は、本や雑誌などの綴じた原稿と判断し、見開き２ページを１ページにつなげて読取を行うようにし、ボタンＡ１、ボタンＡ１、ボタンＡ１、ボタンＡ１といったように、常に一方向からのみ画像読取を行う場合は、原稿が単票であると判断し、単票１ページごとに読取を行うようにしてもよい。
【００１８】
この場合、ボタンＡ１、ボタンＢ２、ボタンＡ１、ボタンＢ２といったように、交互に読み取り方向を変える場合、物理的な光学ユニットの移動方向を変えながら画像読取を行うことで、光学ユニットが往復することで２ページ分を読み取ることができ、読み取り時間を短縮する効果もある。
【発明の効果】
【００１９】
この発明により、以下に示すような効果が期待できる。
原稿の文字列が横並びの文字列で左綴じか、縦並びの文字列で右綴じかを判断することができ、見開き２ページの画像読取の順序を正しい順序で読み取ることができるようになる。また、原稿が単票か本や雑誌などのように綴じたものかを判断し、単票１ページずつまたは見開き２ページを１ページとして読み取ることができるようになる。さらに、左右交互に光学ユニットの移動方向を変えながら画像を読み取ることで、1ページごとに光学ユニットを往復させずに読み取ることとなり、読取時間の短縮を図ることができるようになる。
【発明を実施するための最良の形態】
【００２０】
この発明は、次に示す実施の形態を取った。
【００２１】
原稿の文字列が横並びの文字列か、縦並びの文字列かを判定するために、図４に示すように、読み取った画像のＸ、Ｙ方向のドットの分布率を計測し、その周期性から横並び文字列か縦並び文字列かを判定する。
【００２２】
このようにして、原稿の文字列が横並びの文字列で左綴じか、縦並びの文字列で右綴じかを判断することができるようになり、見開き２ページの画像読取の順序を正しい順序で読み取ることができるようになる。
【００２３】
本スキャナには、画像読取を開始するボタンＡ１、ボタンＢ２の２つのボタンを備えている。
【００２４】
これにより、ボタンＡ１、ボタンＢ２、ボタンＡ１、ボタンＢ２といったように、交互にボタンを押下して読取を開始する場合には、原稿が本や雑誌などの綴じたものであると判断し、ボタンＡ１、ボタンＢ２いずれかの読取画像を１８０度回転させて、見開き２ページを１ページにつなげて読取を行い、ボタンＡ１、ボタンＡ１、ボタンＡ１、ボタンＡ１といったように、一方のボタンのみを押下して読取を開始する場合には、単票であると判断し、単票１ページごとに読み取るようにすることができる。
【００２５】
また、ボタンＡ１、ボタンＢ２の２つのボタンで、左右どちらから読取を行うか指定するように構成した場合には、ボタンＡ１、ボタンＢ２、ボタンＡ１、ボタンＢ２といったように交互に読み取り方向を変えながら画像読取を行うことで、光学ユニットが往復する間に２ページの画像を読み取ることができ、読み取り時間の短縮を図ることができるようになる。
【実施例】
【００２６】
この発明による代表的な実施例を図によって説明する。なお、以下において、同じ箇所は同一の符号を付してあり、詳細な説明を省略することがある。
【００２７】
図１の（ａ）に示すように、横並び文字の左綴じの本の場合、見開き2ページの順序は、左ページが前頁で、右ページが後頁となり、これに対し、図１の（ｂ）に示すように、縦並び文字の右綴じの本の場合、見開き2ページの順序は、右ページが前頁で、左ページが後頁で、頁の順序が逆になる。
【００２８】
本装置では、図４に示すように、読み取った画像のX、Y方向のドットの分布率の周期性から自動的に文字の並びとそれにともなう右綴じ、左綴じを判別し、本の画像読取で見開き2ページを1ページとして出力する場合、正しい順序で画像読取ができるようにしている。
【００２９】
本スキャナには、図２に示すように、画像読取開始のためにボタンＡ１、ボタンＢ２の２つのボタンを備えており、ボタンＡ１、ボタンＢ２の順に読み取りボタンを押されて読み取った場合には、見開き2ページを1ページにつなげて出力し、ボタンＡ１、ボタンＡ１の順に読み取りボタンを押されて読み取った場合には、単票としてそのまま1ページずつ出力するようにしている。
【００３０】
これにより、本などの綴じた原稿は見開き2ページを1ページにまとめて出力し、単票の原稿は単票1ページとして出力することができるようにしている。
【００３１】
また、図３に示すように、ボタンＡ１、ボタンＢ２のボタンを光学ユニットの移動方向とし、例えばボタンＡ１が押されると、光学ユニットが右から左に移動しながら画像読取を行い、次にボタンＢ２が押されると、光学ユニットが左から右に移動しながら画像読取を行うことで、往復で2ページの画像読取を行えるように構成してもよい。
【００３２】
これにより、毎回1ページを読み取るために光学ユニットが1往復するのに比べ、読取時間を短縮することができるようになる。一方向への移動のみで1ページを読み取るようにすると、いずれかの方向を読み取る場合、光学ユニットの構造から読取が鏡像となって読み取り図形の左右が反転してしまうこととなるが、ラインバッファに格納する際に反転させることで、正しく画像読取を行えるようにしている。
【図面の簡単な説明】
【００３３】
【図１】本の見開きページ順序説明図である。
【図２】読み取り開始ボタンによる画像読み取り動作の説明図である。
【図３】光学ユニットの往復で２ページを読み取る場合の説明図
【図４】横並び、縦並び文字列の判断方法の説明図である。
【符号の説明】
【００３４】
１：ボタンＡ
２：ボタンＢ
【図１】
2006197270.tif 000003
【図２】
2006197270.tif 000004
【図３】
2006197270.tif 000005
【図４】
2006197270.tif 000006